(57)【要約】【課題】ボウル部が親水性や撥水性を継続的に発揮することのできる小便器を提供する。【解決手段】小便器は、凹状の内面８０を有するボウル部８と、ボウル部８に設置される第一吐水部１５と、ボウル部８に設置される第二吐水部２５を備える。第一吐水部１５からは、水に親水コーティング剤が混入した親水性洗浄水が、内面８０の第一領域Ｆ１に向けて吐出される。第二吐水部２５からは、水に撥水コーティング剤が混入した撥水性洗浄水が、内面８０の第二領域Ｆ２に向けて吐出される。【選択図】図１
2017137713.tif 000002
【特許請求の範囲】
【請求項１】
凹状の内面を有するボウル部と、
水に親水コーティング剤が混入された親水性洗浄水と、水に撥水コーティング剤が混入された撥水性洗浄水の、少なくとも一方を前記内面に向けて吐出する吐水装置と、を具備する
ことを特徴とする小便器。
【請求項２】
前記吐水装置は、
前記親水性洗浄水を前記内面の第一領域に向けて吐出する第一吐水部と、
前記撥水性洗浄水を前記内面の第二領域に向けて吐出する第二吐水部と、を備える
ことを特徴とする請求項１に記載の小便器。
【請求項３】
前記内面の下部に設けられた排水口を、さらに具備し、
前記第二領域は、前記排水口よりも上方に位置し、
前記第一領域は、前記第二領域よりも上方に位置する
ことを特徴とする請求項２に記載の小便器。
【請求項４】
前記ボウル部の前方に位置する人体を検知する人体検知部と、
前記人体検知部が前記人体を検知すると、前記第一吐水部から前記親水性洗浄水を吐出させる制御部とを、さらに具備する
ことを特徴とする請求項２または３に記載の小便器。
【請求項５】
前記制御部は、
前記第一吐水部から前記親水性洗浄水を吐出させた後に、前記第二吐水部から前記撥水性洗浄水を吐出させる
ことを特徴とする請求項４に記載の小便器。
【請求項６】
前記制御部は、
予め設定された時間帯に、前記第二吐水部から前記撥水性洗浄水を吐出させる
ことを特徴とする請求項４に記載の小便器。
【請求項７】
前記第一吐水部は、
前記親水性洗浄水を、ミスト状で吐出するように構成されている
ことを特徴とする請求項２〜６のいずれか一項に記載の小便器。
【請求項８】
前記第二吐水部は、
前記撥水性洗浄水を、ミスト状で吐出するように構成されている
ことを特徴とする請求項２〜７のいずれか一項に記載の小便器。
【発明の詳細な説明】
【技術分野】
【０００１】
本発明は、ボウル部を備えた小便器に関する。
【背景技術】
【０００２】
特許文献１には、小便器に汚れが発生することを防止するために、撥水性の被膜を設けることが記載されている。
【先行技術文献】
【特許文献】
【０００３】
【特許文献１】特開２００２−１５５５７１号公報
【発明の概要】
【発明が解決しようとする課題】
【０００４】
上記のように、小便器において、ボウル部に親水性や撥水性を付与するには被膜を設けることが考えられるが、このような被膜は、効果の持続性の点で問題がある。
【０００５】
本発明は、ボウル部が親水性や撥水性を継続的に発揮することのできる小便器を提供することを、目的とする。
【課題を解決するための手段】
【０００６】
本発明に係る形態の小便器は、ボウル部と吐水装置とを具備する。ボウル部は、凹状の内面を有する。吐水装置は、水に親水コーティング剤が混入された親水性洗浄水と、水に撥水コーティング剤が混入された撥水性洗浄水の、少なくとも一方を前記内面に向けて吐出する。
【発明の効果】
【０００７】
本発明の小便器は、ボウル部が親水性や撥水性を継続的に発揮することができるという効果を奏する。
【図面の簡単な説明】
【０００８】
【図１】図１は、本発明の第一実施形態に係る小便器を示す斜視図である。
【図２】図２は、同上の小便器を示す正面図である。
【図３】図３は、図２のＡ−Ａ線断面図である。
【図４】図４は、同上の小便器の要部を示すブロック図である。
【図５】図５は、本発明の第二実施形態に係る小便器を示す正面図である。
【図６】図６は、同上の小便器の要部を示すブロック図である。
【発明を実施するための形態】
【０００９】
（第一実施形態）
添付図面に基づいて、第一実施形態の小便器について説明する。
【００１０】
以下の説明では、小便器が設置された状態（図１〜図３に示す状態）に基づいて、前後、上下、左右の各方向を用いる。小便器に対して使用者の人体Ｈ１（図３参照）が位置する方向が、前方である。
【００１１】
第一実施形態の小便器は、合成樹脂製のボウル部８で主体が構成される。ボウル部８には、排水口３、人体検知部４および吐水装置７（図３、図４参照）が設けられる。
【００１２】
ボウル部８は、凹状に湾曲した内面８０を有する。内面８０は、全体として上下に長い凹曲面であり、内面８０の下部に排水口３が設けられる。排水口３は、排水管３５（図３参照）に通じる開口である。
【００１３】
ボウル部８は、左右両側の側壁部８３と、これより下方に位置する前壁部８５とを備える。左右両側の側壁部８３と前壁部８５は、滑らかに連続する。
【００１４】
各側壁部８３の内面８３０は、洗浄水や尿の周囲への漏出を抑えるように機能する。各側壁部８３はボウル部８の一部を構成し、各側壁部８３の内面８３０は、ボウル部８の内面８０の一部を構成する。
【００１５】
前壁部８５は、排水口３の前方から左右両側方に至る位置で、上方に立ち上がって位置する。前壁部８５の内面８５０は、水平断面において、前方に膨らんだ円弧状の形状を有する。
【００１６】
前壁部８５の内面８５０は、洗浄水や尿の周囲への漏出を抑えるように機能する。前壁部８５はボウル部８の一部を構成し、前壁部８５の内面８５０は、ボウル部８の内面８０の一部を構成する。
【００１７】
吐水装置７は、第一吐水部１５と、左右一対の第二吐水部２５を備える。第一吐水部１５と左右一対の第二吐水部２５は、ともに排水口３よりも上方に位置する。第一吐水部１５は、内面８０の上部の左右方向中央に位置する。一対の第二吐水部２５は、左右の側壁部８３の内面８３０に、それぞれ位置する。
【００１８】
第一吐水部１５からは、親水性コーティング剤が混入された水（以下、これを「親水性洗浄水」という。）を、内面８０の第一領域Ｆ１に向けて吐出することができる。親水性コーティング剤は、たとえばＳｉＯ２系のコーティング剤である。親水性は、水の接触角により評価可能である。第一領域Ｆ１に当たるように吐出された親水性洗浄水は、内面８０を伝って下方に流れ、排水口３を通じて排水管３５に排出される。
【００１９】
各第二吐水部２５からは、撥水性コーティング剤が混入された水（以下、これを「撥水性洗浄水」という。）を、内面８０の第二領域Ｆ２に向けて吐出することができる。撥水性コーティング剤は、たとえばフッ素系のコーティング剤である。撥水性は、水の接触角により評価可能である。第二領域Ｆ２に当たるように吐出された撥水性洗浄水は、内面８０を伝って下方に流れ、排水口３を通じて排水管３５に排出される。
【００２０】
内面８０の第一領域Ｆ１と第一領域Ｆ２は、互いに異なる領域であり、第一領域Ｆ１は第二領域Ｆ２よりも上方に位置する。第一領域Ｆ１と第二領域Ｆ２は、互いの一部が重なってもよい。
【００２１】
第一領域Ｆ１は、ボウル部８の内面８０のうち第一吐水部１５の下方に位置する領域である。第一領域Ｆ１は、内面８０の第一吐水部１５と排水口３の間の領域のうち、たとえば上側半部に位置する。
【００２２】
第二領域Ｆ２は、ボウル部８の内面８０のうち、たとえば下側半部に位置する。第二領域Ｆ２は、左右方向において、左右両側の第二吐水部２５の間に位置する。第二領域Ｆ２は、左右両側の第二吐水部２５のそれぞれに対して、斜め下方に位置する。
【００２３】
第一領域Ｆ１と第二領域Ｆ２は、内面８０の形状、第一吐水部１５と第二吐水部２５の設置個所や構造に基づいて、適宜設定される。
【００２４】
以下、図４等に基づいて、第一実施形態の吐水装置７のさらに詳細な構造を説明する。
【００２５】
吐水装置７は、親水性洗浄水を内面８０に向けて吐出するように構成された第一吐水装置１と、撥水性洗浄水を内面８０に吐出させるように構成された第二吐水装置２と、第一吐水装置１と第二吐水装置２を制御する制御部６とを備える。
【００２６】
第一吐水装置１は、第一吐水部１５と、給水源９（水道管）と第一吐水部１５をつなぐ給水管１９と、給水源９から給水管１９への水の供給を制御する開閉弁１１と、給水管１９の流路途中に接続される第一混入部１３とを備える。第一混入部１３は、給水管１９中の水に親水コーティング剤を混入させて親水性洗浄水を生成するように構成されている。
【００２７】
開閉弁１１は電磁弁であり、制御部６に対して電気的に接続される。開閉弁１１は、制御部６によって開閉が制御される。
【００２８】
第一混入部１３は、親水コーティング剤が貯蔵される第一タンク１３１と、給水管１９と第一タンク１３１をつなぐ弾性チューブ１３３と、弾性チューブ１３３の流路途中に設置される弁装置１３５とを備える。
【００２９】
弁装置１３５は、弾性チューブ１３３の流路途中の部分を機械的に挟み込むことのできるピンチバルブであり、制御部６に対して電気的に接続される。弁装置１３５は、弾性チューブ１３３を挟み込んで流路を閉鎖する状態（親水コーティング剤を供給しない状態）と、挟み込みを解除して流路を開放する状態（親水コーティング剤を供給する状態）との間で、切り替え自在である。弁装置１３５は、制御部６によって制御される。
【００３０】
第一吐水部１５は、複数の吐水口を備えるスプレッダであり、各吐水口から第一領域Ｆ１に向けて親水性洗浄水が吐出される。第一吐水部１５は一つに限らず、複数でもよい。
【００３１】
第二吐水装置２は、左右一対の第二吐水部２５と、給水源９と左右一対の第二吐水部２５をつなぐ給水管２９と、給水源９から給水管２９への水の供給を制御する開閉弁２１と、給水管２９の流路途中に接続される第二混入部２３とを備える。第二混入部２３は、給水管２９中の水に撥水コーティング剤を混入させて撥水性洗浄水を生成するように構成されている。第二吐水部２５は一対に限らず、三以上の複数でもよいし、一つでもよい。
【００３２】
開閉弁２１は電磁弁であり、制御部６に対して電気的に接続される。開閉弁２１は、制御部６によって開閉が制御される。
【００３３】
第二混入部２３は、撥水コーティング剤が貯蔵される第二タンク２３１と、給水管２９と第二タンク２３１をつなぐ弾性チューブ２３３と、弾性チューブ２３３の流路途中に設置される弁装置２３５とを備える。
【００３４】
弁装置２３５は、弾性チューブ２３３の流路途中の部分を機械的に挟み込むことのできるピンチバルブであり、制御部６に対して電気的に接続される。弁装置２３５は、弾性チューブ２３３を挟み込んで流路を閉鎖する状態（撥水コーティング剤を供給しない状態）と、挟み込みを解除して流路を開放する状態（撥水コーティング剤を供給する状態）との間で、切り替え自在である。弁装置２３５は、制御部６によって制御される。
【００３５】
制御部６は、マイクロプロセッサを主構成要素とする。制御部６は、第一吐水装置１と第二吐水装置２を制御することで、親水性洗浄水と撥水性洗浄水を互いに異なる領域に向けて吐出させる。制御部６が親水性洗浄水を吐出させるタイミングと、撥水性洗浄水を吐出させるタイミングは、互いに異なる。
【００３６】
具体的には、人体Ｈ１がボウル部８の前方に位置することを人体検知部４が検知すると、その検知信号を受けた制御部６が第一吐水装置１の開閉弁１１と弁装置１３５を所定時間だけ開弁させ、第一吐水部１５から親水性洗浄水を吐出させて予備洗浄を行う。ボウル部８の内面８０は、親水性洗浄水により親水化されるので、予備洗浄後に使用者Ｕ１が内面８０に尿を当てた際に、尿の飛散が抑えられる。
【００３７】
次いで、人体Ｈ１がボウル部８の前方から離れたことを人体検知部４が検知すると、その検知信号を受けた制御部６が、第一吐水装置１の開閉弁１１と弁装置１３５を所定時間だけ開弁させ、第一吐水部１５から親水性洗浄水を吐出させて本洗浄を行う。
【００３８】
これにより、内面８０のうち親水性洗浄水が流れる領域（左右方向の中央部分の領域）は、予備洗浄と本洗浄のたびに親水化が図られ、親水性が継続的に発揮される。内面８０の左右方向の中央部分の領域が親水性を保つと、尿の飛散が抑制されることに加えて、少量の洗浄水（親水性洗浄水）でも広がりやすく、節水効果が得られる。なお、予備洗浄で親水性洗浄水を吐出させ、本洗浄では、通常の水（親水性コーティング剤が混入していない水）を吐出させることも可能である。
【００３９】
さらに制御部６は、本洗浄が終了した後に、第二吐水装置２の開閉弁２１と弁装置２３５を所定時間だけ開弁させ、左右両側の第二吐水部２５から第二領域Ｆ２に向けて撥水性洗浄水を吐出する。
【００４０】
これにより、ボウル部８の内面８０のうち尿が付着しやすい下側の部分に対して、使用のたびに撥水化を図ることができる。内面８０の尿が付着しやすい部分は、具体的には、左右の側壁部８３の内面８３０の下部、前壁部８５の内面８５０等である。
【００４１】
親水性洗浄水や撥水性洗浄水を吐出するタイミングは、制御部６にて適宜設定され得る。たとえば、撥水性洗浄水を使用のたびに吐出させるのでなく、予め設定された時間帯に撥水性洗浄水を自動的に吐出させるように、制御部６を設定することも可能である。撥水性洗浄水を吐出させる時間帯は、たとえば使用頻度の低い時間帯（深夜の時間帯等）である。
【００４２】
また、第一実施形態の小便器において、吐水装置７を、親水性洗浄水だけを吐出するように構成することも可能である。この場合、たとえば吐水装置７に第一吐水装置１を備え、第二吐水装置２は備えない。
【００４３】
また、第一実施形態の小便器において、吐水装置７を、撥水性洗浄水だけを吐出するように構成することも可能である。この場合、たとえば吐水装置７に第二吐水装置２を備え、第一吐水装置１の第一混入部１３を備えない。その他、多様な設計変更が可能である。
【００４４】
（第二実施形態）
次に、第二実施形態の小便器について説明する。
【００４５】
第二実施形態の小便器の構成のうち、第一実施形態と同様の構成については同一符号を付して詳しい説明を省略し、第一実施形態とは相違する構成について以下に詳述する。
【００４６】
第二実施形態の小便器は、第一吐水装置１が親水性洗浄水をミスト状で吐出するように構成されている点と、第二吐水装置２が撥水性洗浄水をミスト状で吐出するように構成されている点で、第一実施形態とは相違する。
【００４７】
図５、図６に示すように、第二実施形態の小便器において、第一吐水装置１は、第一吐水部１５を二つ備える。二つの第一吐水部１５は上下に並んで位置する。下側の第一吐水部１５は、第一実施形態で備える第一吐水部１５と同様のスプレッダである。上側の第一吐水部１５は、親水性洗浄水をミスト状に吐出するノズルで構成される。
【００４８】
以下においては区別のため、下側の第一吐水部１５に符号１５２を付し、上側の第一吐水部に符号１５４を付す。
【００４９】
図６に示すように、給水管１９は、第一混入部１３が接続される箇所の下流側で二手に分岐しており、分岐した一方の流路中に開閉弁１７が介在し、開閉弁１７の下流側に、第一吐水部１５２が接続される。給水管１９の分岐した他方の流路中には開閉弁１８が介在し、開閉弁１８の下流側に、第一吐水部１５４が接続される。
【００５０】
開閉弁１７と開閉弁１８はともに電磁弁であり、制御部６に対して電気的に接続される。開閉弁１７と開閉弁１８は、制御部６によって開閉が制御される。
【００５１】
第二吐水装置２は、左右一対の第二吐水部２５がともに、撥水性洗浄水をミスト状に吐出することのできるノズルで構成される。
【００５２】
第二実施形態の小便器では人体検知部４が人体Ｈ１を検知すると、その検知信号を受けた制御部６が、第一吐水装置１の開閉弁１１、弁装置１３５および開閉弁１８をそれぞれ所定時間だけ開弁させ、第一吐水部１５４からミスト状の親水性洗浄水を吐出させる。これにより、ボウル部８の内面８０が親水化され、尿の飛散が抑えられる。
【００５３】
次いで、人体Ｈ１がボウル部８の前方から離れたことを人体検知部４が検知すると、その検知信号を受けた制御部６が第一吐水装置１の開閉弁１１、弁装置１３５および開閉弁１７を所定時間だけ開弁させる。これにより、第一吐水部１５２から親水性洗浄水を吐出させて本洗浄を行う。本洗浄では、弁装置１３５を閉弁して通常の水（親水性コーティング剤が混入されない水）を吐出することも可能である。
【００５４】
さらに制御部６は、本洗浄が終了した後に、第二吐水装置２の開閉弁２１と弁装置２３５を所定時間だけ開弁させ、左右両側の第二吐水部２５からミスト状の撥水性洗浄水を吐出させる。
【００５５】
これにより、ボウル部８の内面８０のうち尿が付着しやすい下側の部分（排水口３を囲む周囲部分）に対して、使用のたびに、ミスト状の撥水性洗浄水によって撥水化を図ることができる。
【００５６】
第二実施形態の小便器においても、親水性洗浄水や撥水性洗浄水を吐出するタイミングは、適宜設定され得る。たとえば、予め設定された時間帯（深夜帯等）に、ミスト状の撥水性洗浄水を自動的に吐出させるように、制御部６を設定することも可能である。
【００５７】
また、ミストを吐出する第一吐水部１５４や第二吐水部２５が、液体ポンプをさらに備えることも可能である。この場合、第一吐水部１５４においては、制御部６が液体ポンプを駆動させ、給水管１９を通じて供給される親水性洗浄水を加圧してノズルに送り出すことで、親水性洗浄水をミスト状に吐出（噴出）させる。第二吐水部２５においては、制御部６が液体ポンプを駆動させ、撥水性洗浄水を加圧してノズルに送り出すことで、撥水性洗浄水をミスト状に吐出（噴出）させる。
【００５８】
また、第二実施形態の小便器において、吐水装置７を、予備洗浄の親水性洗浄水だけをミスト状に吐出するように構成することも可能である。この場合、たとえば吐水装置７には第二吐水装置２を備えない。
【００５９】
また、第一実施形態の小便器において、吐水装置７を、撥水性洗浄水だけをミスト状に吐出するように構成することも可能である。この場合、たとえば吐水装置７に第二吐水装置２を備える一方で、第一吐水装置１の上側の第一吐水部１５４や開閉弁１８を備えない。その他、多様な設計変更が可能である。
【００６０】
以上、添付図面に基づいて説明したように、第一および第二実施形態の小便器は、ボウル部８と吐水装置７とを具備する。ボウル部８は凹状の内面８０を有する。吐水装置７は、水に親水コーティング剤が混入された親水性洗浄水と、水に撥水コーティング剤が混入された撥水性洗浄水の、少なくとも一方を内面８０に向けて吐出する。
【００６１】
したがって、第一および第二実施形態の小便器によれば、被覆を施すことなく、ボウル部８の内面８０に親水性や撥水性を付与することができ、内面８０は親水性や撥水性を継続的に発揮することができる。
【００６２】
第一および第二実施形態の小便器において、吐水装置７は、第一吐水部１５と第二吐水部２５を備える。第一吐水部１５は、親水性洗浄水を内面８０の第一領域Ｆ１に向けて吐出する。第二吐水部２５は、撥水性洗浄水を内面８０の第二領域Ｆ２に向けて吐出する。
【００６３】
したがって、第一および第二実施形態の小便器では、内面８０のうち所定の領域（第一領域Ｆ１）には親水性洗浄水を吐出して尿の飛散を抑制し、かつ、内面８０の他の領域（第二領域Ｆ２）には撥水性洗浄水を吐出して尿の付着を抑制することができる。
【００６４】
第一および第二実施形態の小便器は、内面８０の下部に設けられた排水口３を、さらに具備する。第二領域Ｆ２は、排水口３よりも上方に位置する。第一領域Ｆ１は、第二領域Ｆ２よりも上方に位置する。
【００６５】
したがって、第一および第二実施形態の小便器では、内面８０の親水化によって尿の飛散を抑制する効果と、内面８０の撥水化によって尿の付着を抑制する効果を、ともに効率的に得ることができる。
【００６６】
第一および第二実施形態の小便器は、ボウル部８の前方に位置する人体Ｈ１を検知する人体検知部４と、人体検知部４が人体Ｈ１を検知すると、第一吐水部１５から親水性洗浄水を吐出させる制御部６とを、さらに具備する。
【００６７】
したがって、第一および第二実施形態の小便器では、使用する直前にボウル部８の内面８０を親水化することができ、効率的である。
【００６８】
第一および第二実施形態の小便器において、制御部６は、第一吐水部１５から親水性洗浄水を吐出させた後に、第二吐水部２５から撥水性洗浄水を吐出させるように設定可能である。
【００６９】
したがって、第一および第二実施形態の小便器では、使用する直前にボウル部８の内面８０を親水化したうえで、使用後には、内面８０のうち尿が付着しやすい部分を効率的に撥水化することができる。
【００７０】
第一および第二実施形態の小便器において、制御部６は、予め設定された時間帯に、第二吐水部２５から撥水性洗浄水を吐出させるように設定可能である。
【００７１】
したがって、第一および第二実施形態の小便器では、使用のたびにボウル部８の内面８０を親水化したうえで、内面８０のうち尿が付着しやすい部分は定期的に撥水化を図ることができる。
【００７２】
第二実施形態の小便器において、第一吐水部１５（上側の第一吐水部１５４）は、親水性洗浄水を、ミスト状で吐出するように構成されている。
【００７３】
したがって、第二実施形態の小便器では、ミスト状の親水性洗浄水によって、ボウル部８の内面８０のより広範な範囲を、隅々まで効率的に親水化することができる。
【００７４】
第二実施形態の小便器において、第二吐水部２５は、撥水性洗浄水を、ミスト状で吐出するように構成されている。
【００７５】
したがって、第二実施形態の小便器では、ミスト状の撥水性洗浄水によって、ボウル部８の内面８０のより広範な範囲を、隅々まで効率的に撥水化することができる。
【００７６】
なお、ボウル部を備える小便器は前記の各実施形態に限定されず、各実施形態において適宜の設計変更を行うことや、各実施形態において公知の技術を組み合わせることや、各実施形態の構成を適宜組み合わせて適用することが可能である。
【符号の説明】
【００７７】
３    排水口
４    人体検知部
６    制御部
７    吐水装置
８    ボウル部
１５  第一吐水部
２５  第二吐水部
８０  ボウル部の内面
Ｆ１  第一領域
Ｆ２  第二領域
Ｈ１  人体
【図１】
2017137713.tif 000003
【図２】
2017137713.tif 000004
【図３】
2017137713.tif 000005
【図４】
2017137713.tif 000006
【図５】
2017137713.tif 000007
【図６】
2017137713.tif 000008